(57)【要約】【課題】吸水性や肌触りに優れているというタオルハンカチの利点を維持しつつ、その折畳性を改善する。【解決手段】タオルハンカチ１０に横折り畳み部１２および縦折り畳み部１３を設ける。横折り畳み部１２および縦折り畳み部１３においては、地組織の織り密度がその余の箇所に比べて低くなっているため、折り曲げが容易となっている。横折り畳み部１２および縦折り畳み部１３におけるパイルの長さは、その余の箇所のパイルの長さよりも大きくなっている。パイル長が増した分で、横折り畳み部１２および縦折り畳み部１３において織り密度が低いのを補い、肌触りや吸水性が改善されている。【選択図】図１
2018066075.tif 000002
【特許請求の範囲】
【請求項１】
地緯糸と、
前記地緯糸と交差する地経糸と、
前記地緯糸と交差するパイル経糸と、を備え、
前記地緯糸および地経糸が地組織を構成し、
前記パイル経糸が前記地組織から起毛するパイルを構成するタオルハンカチであって、
前記地緯糸の織り密度がその余の箇所よりも低い横折り畳み部と、
前記地経糸および前記パイル経糸の織り密度がその余の箇所よりも低い縦折り畳み部と、のうち少なくとも一方の折り畳み部を有するタオルハンカチ。
【請求項２】
前記横折り畳み部を有し、その横折り畳み部における前記パイル経糸のパイル長が、その余の箇所よりも大きい請求項１に記載のタオルハンカチ。
【請求項３】
前記縦折り畳み部を有し、その縦折り畳み部における前記パイル経糸の前記地緯糸をとばす数が、その余の箇所よりも大きい請求項１または２に記載のタオルハンカチ。
【請求項４】
前記縦折り畳み部を有し、その縦折り畳み部における前記パイル経糸の太さが、その余の箇所よりも大きい請求項１から３のいずれかに記載のタオルハンカチ。
【請求項５】
前記横折り畳み部または前記縦折り畳み部は、その余の箇所よりも強度の高い地緯糸または地経糸を含む請求項１から４のいずれかに記載のタオルハンカチ。
【発明の詳細な説明】
【技術分野】
【０００１】
本発明は、タオルハンカチに関する。
【背景技術】
【０００２】
特許文献１のような、タオルハンカチ（タオル生地からなるハンカチーフ）が知られている。タオルハンカチは、地緯糸と、地緯糸と交差する地経糸と、地緯糸と交差するパイル経糸と、を備え、地緯糸および地経糸が地組織を構成し、パイル経糸が地組織から起毛するパイルを構成しており、吸水性および肌触りに優れている。
【０００３】
しかしながら、タオルハンカチは、パイルが起毛して厚みが大きいため、折り畳みにくく、また嵩張る欠点がある。
たとえば持ち運びする際に、ポケットに収納しようとして折り畳んでも、きれいに折り畳むことができず、丸めたような状態でポケットに入れると、ポケットが大きく膨らんで体裁が悪い。また、収納ケースに収納しようとする際にも、きれいに折り畳めないため嵩張り、大きな収納スペースを要してしまう。
【先行技術文献】
【特許文献】
【０００４】
【特許文献１】実用新案登録第３１３７５２６号公報
【発明の概要】
【発明が解決しようとする課題】
【０００５】
そこで本発明の解決すべき課題は、吸水性や肌触りに優れているというタオルハンカチの利点を維持しつつ、その折畳性を改善することである。
【課題を解決するための手段】
【０００６】
上記課題を解決するため、本発明のタオルハンカチにおいては、地緯糸の織り密度がその余の箇所よりも低い横折り畳み部と、地経糸およびパイル経糸の織り密度がその余の箇所よりも低い縦折り畳み部と、のうち少なくとも一方の折り畳み部を有するものとしたのである。
糸の織り密度が低い折り畳み部に沿って、折り曲げることが容易であるため、タオルハンカチをきれいに折り畳むことができ、丸まったような状態にはならず、嵩張ることもない。
【０００７】
横折り畳み部におけるパイル経糸のパイル長を、その余の箇所よりも長くすると、横折り畳み部において織り密度が小さいのをパイル長が増した分で補うことができ、横折り畳み部の肌触りを改善することができる。
【０００８】
縦折り畳み部におけるパイル経糸の地緯糸をとばす数を、その余の箇所よりも大きくすると、地緯糸をとばす数が多い分だけパイル経糸が係止された地緯糸間の間隔が広がり、パイル長が大きくなるため、縦折り畳み部において織り密度が小さいのを補うことができ、縦折り畳み部の肌触りを改善することができる。
また、縦折り畳み部におけるパイル経糸の太さを、その余の箇所よりも大きくすると、縦折り畳み部においてパイル経糸の織り密度が小さいのを、パイルの太さが増した分で補うことができ、縦折り畳み部の肌触りを改善することができる。
【０００９】
横折り畳み部または縦折り畳み部を、その余の箇所よりも強度の高い地緯糸または地経糸を含むものとすると、織り密度が小さく強度の不足するおそれのある折り畳み部を補強することができ、タオルハンカチの強度を維持することができる。
【発明の効果】
【００１０】
発明にかかるタオルハンカチを以上のように構成したので、吸水性や肌触りを維持しつつ、その折畳性を改善することが可能となった。
【図面の簡単な説明】
【００１１】
【図１】実施形態のタオルハンカチの平面図
【図２】実施形態のタオルハンカチを折り畳み方法を示す斜視図
【図３】地組織（地緯糸）の密度を示す図
【図４】図１のＡ−Ａ線断面図
【図５】地組織（地経糸）の密度を示す図
【図６】図１のＢ−Ｂ線断面図
【発明を実施するための形態】
【００１２】
以下、図面を参照しつつ本発明の実施形態について説明する。
図１に示す、実施形態のタオルハンカチ１０は、ほぼ正方形のハンカチ本体１１に、横折り畳み部１２と縦折り畳み部１３が形成されている。
図示のように、横折り畳み部１２は、ハンカチ本体１１の上下方向の中間部を横断しており、縦折り畳み部１３は、ハンカチ本体１１の左右方向の中間部を縦断している。この横折り畳み部１２と縦折り畳み部１３とで、ほぼ十字型の折り畳み部が形成されている。横折り畳み部１２と縦折り畳み部１３の幅は、ほぼ同寸で、ハンカチ本体１１の寸法よりも十分に小さいものとなっている。
ここで、横折り畳み部１２と縦折り畳み部１３は、ハンカチ本体１１のその余の箇所と比較して折り畳みが容易になっており、図２に示すように、まず横折り畳み部１２か縦折り畳み部１３の一方（図示では横折り畳み部１２）で二つ折りし、次いで他方（図示では縦折り畳み部１３）でさらに二つ折りすることで、四つ折り状態にコンパクトに折り畳むことができるようになっている。
【００１３】
図４および図６のように、実施形態のタオルハンカチ１０は、ハンカチ本体１１の左右方向に延びる地緯糸Ｘ１、Ｘ２と、ハンカチ本体１１の上下方向に延びて地緯糸Ｘ１、Ｘ２と交差する地経糸Ｙ１、Ｙ２と、ハンカチ本体１１の上下方向に延びて地緯糸Ｘ１、Ｘ２と交差するパイル経糸Ｚと、からなる。
地緯糸Ｘ１、Ｘ２と地経糸Ｙ１、Ｙ２によりタオルハンカチの地組織Ｇ１〜Ｇ３が構成され、パイル経糸Ｚによりタオルハンカチの地組織Ｇ１〜Ｇ３から起毛するパイルＰ１〜Ｐ３が構成されている。
なお、ハンカチ本体１１の外延は、適宜リム処理が施されるなどして、ほつれが生じないようになっている。
【００１４】
図３および図４のように、横折り畳み部１２の地組織Ｇ２において、その地緯糸Ｘ１、Ｘ２の織り密度は、ハンカチ本体１１のその余の箇所の地組織Ｇ１における地緯糸Ｘ１の織り密度と比較して、低くなっている。すなわち、横折り畳み部１２における地緯糸Ｘ１、Ｘ２間の間隔は、ハンカチ本体１１のその余の箇所の地緯糸Ｘ１間の間隔よりも広くなっている。
地組織Ｇ２における地緯糸Ｘ１、Ｘ２の織り密度を低下させる度合は特に限定されないが、ハンカチ本体１１のその余の箇所の地組織Ｇ１における織り密度を１００％とした場合、６０〜７０％であることが例示できる。
このように地組織Ｇ２の密度が粗になっていることにより、横折り畳み部１２は、折り曲げることが容易となっている。
なお、地組織Ｇ２において地緯糸Ｘ１、Ｘ２の織り密度を低くするのは、実施形態のタオルハンカチ１０の作製時に、筬により地緯糸Ｘ１、Ｘ２を生地に向けて打ち込む際に、その打ち込む力をその余の箇所と比較して小さくすることで実現できる。
ここで横折り畳み部１２において、地緯糸の一部に、通常の地緯糸Ｘ１よりも撚り本数の多く強度の高い地緯糸Ｘ２が用いられている（図３では、模式的に太線で示している）。これにより、地緯糸の密度が小さく強度が不十分なおそれのある横折り畳み部１２が補強されている。また、撚り本数の多い地緯糸Ｘ２を用いることで、洗濯により横折り畳み部１２が縮むことも抑制されている。
地組織Ｇ２における通常の地緯糸Ｘ１と撚り本数の多い地緯糸Ｘ２の混合の割合は、特に限定されないが、図３においては、通常の地緯糸Ｘ１と撚り本数の多い地緯糸Ｘ２とが交互に用いられている。
たとえば、通常の地緯糸Ｘ１として２本撚りの糸を用いる場合、横折り畳み部１２の一部に地緯糸Ｘ２として３本撚りの糸を用い、そのような３本撚りの糸として、細番手（たとえば６０番手）の糸を３本撚り合わせた、引張強度が５．９Ｎを超えるものを用いることが例示できる。このような糸としては、いわゆる３子撚りカタン糸が好ましい。なお、３本撚りの地緯糸Ｘ２において細番手の糸を用いると、２本撚りの地緯糸Ｘ１と太さを凡そ揃えることができる。
【００１５】
図４のように、横折り畳み部１２においては、そのパイル経糸Ｚにより構成されるパイルＰ２の長さがハンカチ本体１１のその余の箇所のパイルＰ１の長さに比べて大きく、またパイルＰ２の高さがパイルＰ１の高さよりも高くなっている。
パイル長を大きくするのは、実施形態のタオルハンカチの作製時に、横折り畳み部１２においてのみ、パイル経糸Ｚがビームから送り出される量を多くする（送り出しスピードを速くする）ことにより実現される。
横折り畳み部１２におけるパイルＰ２の長さは、その余の箇所に比べて大きい限りにおいて限定されないが、その余の箇所のパイル長を１００％とした場合、１１０〜１３０％であることが例示できる。
このパイル長が増した分で、横折り畳み部１２において織り密度が低いのを補うことができ、肌触りや吸水性が改善されている。
【００１６】
図５のように、縦折り畳み部１３の地組織Ｇ３において、その地経糸Ｙ１、Ｙ２（およびパイル経糸Ｚ）の織り密度は、ハンカチ本体１１のその余の箇所の地組織Ｇ１における地経糸Ｙ１（およびパイル経糸Ｚ）の織り密度と比較して、低くなっている。すなわち、縦折り畳み部１３における地経糸Ｙ１、Ｙ２間の間隔は、ハンカチ本体１１のその余の箇所の地経糸Ｙ１間の間隔よりも広くなっている。
地組織Ｇ３における織り密度を低下させる度合は特に限定されないが、ハンカチ本体１１のその余の箇所の地組織Ｇ１における織り密度を１００％とした場合、４５〜５５％であることが例示できる。
このように地組織Ｇ３の密度が粗になっていることにより、縦折り畳み部１３は、折り曲げが容易となっている。
なお、地組織Ｇ３において地経糸Ｙ１、Ｙ２およびパイル経糸Ｚの織り密度を低くするのは、実施形態のタオルハンカチ１０の作製時に、地経糸Ｙ１、Ｙ２およびパイル経糸Ｚが挿通する筬の櫛状部の間隔（筬密度、筬番手）を、その余の箇所と比較して広くすることにより実現できる。
ここで縦折り畳み部１３において、地経糸の一部に、通常の地経糸Ｙ１よりも撚り本数が多く強度の高い地経糸Ｙ２が用いられている（図５では、模式的に太線で示している）。これにより、地経糸の密度が低く強度が不十分なおそれのある縦折り畳み部１３が補強されている。また、撚り本数の多い地経糸Ｙ２を用いることで、洗濯により縦折り畳み部１３が縮むことも抑制されている。
地組織Ｇ３における通常の地経糸Ｙ１と撚り本数の多い地経糸Ｙ２の混合の割合は、特に限定されないが、図５においては、通常の地経糸Ｙ１と撚り本数の多い地経糸Ｙ２とが交互に用いられている。
【００１７】
図６のように、縦折り畳み部１３においては、パイル経糸Ｚを係止する地緯糸Ｘ１の間隔、すなわち地緯糸Ｘ１をとばす数が、図４のような、ハンカチ本体１１のその余の箇所のパイル経糸Ｚの地緯糸Ｘ１をとばす数よりも多くなっている。すなわち、図４の場合は、パイル経糸Ｚは間の地緯糸Ｘ１を２つずつとばして係止対象の地緯糸Ｘ１へと係止されているが、図６の場合は、パイル経糸Ｚは間の地緯糸Ｘ１を５つずつとばして係止対象の地緯糸Ｘ１へと係止されている。
これは、実施形態のタオルハンカチ１０の作製時に、地緯糸Ｘ１のピックアップ数を変更することにより実現される。
これによりパイル経糸Ｚが係止されている地緯糸Ｘ１間の間隔が広がるため、パイル経糸Ｚにより構成されるパイルＰ３の長さがハンカチ本体１１のその余の箇所のパイルＰ１の長さに比べて大きくなっている。
このパイル長が増した分で、縦折り畳み部１３において織り密度が低いのを補うことができ、肌触りや吸水性が改善されている。
また、縦折り畳み部１３においては、パイル経糸Ｚの太さがハンカチ本体１１のその余の箇所のパイル経糸Ｚの太さよりも大きくすることができる（図６では、他のパイル経糸とほぼ同じ太さで描かれている）。これによって、縦折り畳み部１３の肌触りや吸水性がさらに改善される。縦折り畳み部１３のパイル経糸Ｚの太さを太くするのは、実施形態のタオルハンカチ１０の作製時に、パイル経糸のビームにおいて縦折り畳み部１３に対応する箇所のみ太番手の糸をセットしておくことで実現される。
縦折り畳み部１３におけるパイル経糸Ｚの太さは特に限定されないが、ハンカチ本体１１のその余の箇所のパイル経糸Ｚの太さを１００％とした場合、１２０〜１４０％であることが例示できる。
【００１８】
実施形態では、ハンカチ本体１１を正方形としているが形状はこれに限定されず、長方形、楕円形、円形などでもよい。また実施形態では、ハンカチ本体１１の両面にパイルＰを形成しているが、片面のみにパイルＰを形成してもよい。
実施形態では、横折り畳み部１２と縦折り畳み部１３の双方が形成されているが、いずれか一方のみが形成されていてもよい。また、実施形態では、横折り畳み部１２と縦折り畳み部１３をそれぞれ一つずつとしているが、複数形成してもよい。
また、原反の裁断方向を変えることによって、横折り畳み部１２や縦折り畳み部１３を傾斜させることも可能である。
ハンカチ本体１１の寸法は特に限定されないが、２５ｃｍ×２５ｃｍ程度が例示できる。地緯糸、地経糸、パイル経糸の材質や種類も特に限定されず、天然繊維でも合成繊維でもよいし、紡績糸でもフィラメントでもよい。
【符号の説明】
【００１９】
１０  実施形態のタオルハンカチ
１１  ハンカチ本体
１２  横折り畳み部
１３  縦折り畳み部
Ｘ１、Ｘ２  地緯糸
Ｙ１、Ｙ２  地経糸
Ｚ  パイル経糸
Ｇ１〜Ｇ３  地組織
Ｐ１〜Ｐ３  パイル
【図１】
2018066075.tif 000003
【図２】
2018066075.tif 000004
【図３】
2018066075.tif 000005
【図４】
2018066075.tif 000006
【図５】
2018066075.tif 000007
【図６】
2018066075.tif 000008